(57)【要約】【課題】印刷処理の高速化を妨げることなく、印刷用紙の伸縮を考慮した色合わせを精密に行うことができるとともに、印刷コストの削減を図る。【解決手段】印刷計画情報及び印刷用紙の伸縮率が登録された伸縮情報を記録したデータベース１２と、印刷計画情報及び伸縮情報に基づいて印刷用紙の印刷時の伸縮率を印刷色毎に算出するとともに、伸縮率を示すデータを印刷用画像データとともに刷版データとして送信するサーバ１４と、印刷用画像データを画像処理して描画データを生成した後に、刷版データ中の伸縮率を示すデータに基づいて描画データのサイズを印刷色毎に変更し、サイズ変更された描画データに基づいて刷版を作成する複数のＣＴＰ装置２３Ａａ〜２３Ａｃと、刷版を用いて印刷用紙に画像を印刷する輪転機２７Ａａ〜２７Ａｃとを備える印刷システム等。【選択図】図１
2008119996.tif 000002
【特許請求の範囲】
【請求項１】
印刷計画情報に基づいて印刷処理を複数の印刷工場に手配し、各印刷工場で印刷用紙に画像を印刷する印刷システムであって、
前記印刷計画情報及び前記印刷用紙の伸縮率が登録された伸縮情報を記録するデータベースと、
前記印刷計画情報及び伸縮情報に基づいて前記印刷用紙の印刷時の伸縮率を算出するとともに、前記伸縮率を示す伸縮率データ及び前記伸縮率に応じた画像サイズを示すサイズデータの少なくとも１つを、印刷用画像データとともに送信するサーバと、
前記伸縮率データ及び前記サイズデータの少なくとも１つに基づいて前記印刷用画像データのサイズを変更し、サイズ変更された印刷用画像データを描画して刷版を作成する複数のＣＴＰ（Computer-To-Plate）装置と、
前記刷版を用いて前記印刷用紙に画像を印刷する複数の輪転機とを備えることを特徴とする印刷システム。
【請求項２】
該印刷システムは、新聞印刷システムであって、
前記データベース及び前記サーバを編集センターに備え、
前記ＣＴＰ装置及び前記輪転機を新聞印刷工場に備えることを特徴とする請求項１に記載の印刷システム。
【請求項３】
印刷計画情報に基づいて印刷処理を複数の印刷工場に手配し、各印刷工場で印刷用紙に画像を印刷する印刷システムであって、
前記印刷計画情報を記録する第１データベースと、
前記印刷計画情報を印刷用画像データとともに送信するサーバと、
前記印刷用紙の伸縮率が登録された伸縮情報を記録する第２データベースと、
前記印刷計画情報及び前記印刷用画像データを受信し、前記印刷計画情報及び前記伸縮情報に基づいて前記印刷用紙の印刷時の伸縮率を算出するとともに、前記伸縮率を示す伸縮率データ及び前記伸縮率に応じた画像サイズを示すサイズデータの少なくとも１つを出力するＣＴＰサーバと、
前記伸縮率データ及び前記サイズデータの少なくとも１つに基づいて前記印刷用画像データのサイズを変更し、サイズ変更された印刷用画像データを描画して刷版を作成する複数のＣＴＰ装置と、
前記刷版を用いて前記印刷用紙に画像を印刷する複数の輪転機とを備えることを特徴とする印刷システム。
【請求項４】
該印刷システムは、新聞印刷システムであって、
前記第１データベース及び前記サーバを編集センターに備え、
前記第２データベース、前記ＣＴＰサーバ、前記ＣＴＰ装置及び前記輪転機を新聞印刷工場に備えることを特徴とする請求項３に記載の印刷システム。
【請求項５】
前記サーバ又は前記ＣＴＰサーバは、前記印刷時の伸縮率を印刷色毎に算出し、
前記複数のＣＴＰ装置の各々は、前記印刷用画像データのサイズを印刷色毎に変更することを特徴とする請求項１乃至４のいずれかに記載の印刷システム。
【請求項６】
画像を編集して印刷用画像データを生成し、該印刷用画像データを複数の印刷工場に送信する編集センターであって、
印刷計画情報及び印刷用紙の伸縮率が登録された伸縮情報を記録するデータベースと、
前記印刷計画情報及び伸縮情報に基づいて前記印刷用紙の印刷時の伸縮率を算出するとともに、前記伸縮率を示すデータ及び前記伸縮率に応じた画像サイズを示すデータの少なくとも１つを、前記印刷用画像データとともに刷版データとして前記複数の印刷工場に送信するサーバとを備えることを特徴とする編集センター。
【請求項７】
前記サーバは、前記印刷時の伸縮率を印刷色毎に算出することを特徴とする請求項６に記載の編集センター。
【請求項８】
画像を編集して生成された印刷用画像データを受信して刷版を作成するＣＴＰ装置であって、
指定されたサイズ変更情報に基づいて前記印刷用画像データのサイズを印刷色毎に変更する画像サイズ処理部と、
サイズ変更された印刷用画像データを描画して刷版を作成する描画部とを備えることを特徴とするＣＴＰ装置。
【請求項９】
画像を編集して生成された印刷用画像データを受信して刷版を作成するＣＴＰシステムであって、
印刷用紙の伸縮率が登録された伸縮情報を記録したデータベースと、
前記印刷用画像データ及び印刷計画情報を受信し、前記印刷計画情報及び前記伸縮情報に基づいて前記印刷用紙の印刷時の伸縮率を算出するとともに、前記伸縮率を示す伸縮率データ及び前記伸縮率に応じた画像サイズを示すサイズデータの少なくとも１つを出力するＣＴＰサーバと、
前記伸縮率データ及び前記サイズデータの少なくとも１つに基づいて前記印刷用画像データのサイズを変更し、サイズ変更された印刷用画像データを描画して刷版を作成する複数のＣＴＰ装置とを備えることを特徴とするＣＴＰシステム。
【請求項１０】
前記ＣＴＰサーバは、前記印刷時の伸縮率を印刷色毎に算出し、
前記複数のＣＴＰ装置の各々は、前記印刷用画像データのサイズを印刷色毎に変更することを特徴とする請求項９に記載のＣＴＰシステム。
【発明の詳細な説明】
【技術分野】
【０００１】
本発明は、印刷計画情報に基づいて印刷処理を複数の印刷工場に手配し、各印刷工場で印刷用紙に画像を印刷する印刷システム等に関し、特に、カラー印刷の印刷品質を向上させる印刷システム等に関する。
【背景技術】
【０００２】
従来、全国紙等、広域にわたって新聞を発行する新聞社では、本社で印刷用紙の編集を一括して行い、各地の印刷工場で新聞を印刷するシステムを採用している。この印刷システムは、例えば、図４に示すように、本社７１で新聞の編集作業を行い、編集作業の結果得られた画像情報を多値画像データとした後、ＲＩＰ（Raster-Image-Processing）処理装置７３によって２値画像データとし、サーバ７２内で印刷計画情報と統合処理し、刷版データとして各印刷工場８１Ａ〜８１Ｃに送信する。尚、印刷計画情報とは、印刷に使用する輪転機を指定する情報であって、より具体的には、どの版をどの輪転機のどの版胴にいつ掛けるかを指定する情報である。
【０００３】
各印刷工場（例えば、図４の８１Ａ）は、本社７１から刷版データを受信し、ＣＴＰ（Computer-To-Plate）装置８２Ａの画像処理部８４Ａを用いて画像処理を行って描画データとし、描画部８５Ａにおいて描画して刷版を作成する。作成された刷版は、作業員によって対応する輪転機８３Ａの版胴に手作業で装着された後、輪転機８３Ａにおいて新聞が印刷される。尚、図示の例では、各印刷工場８１Ａ〜８１Ｃには、１セットのＣＴＰ装置と輪転機しか描かれていないが、通常、各印刷工場８１Ａ〜８１Ｃには、複数セットのＣＴＰ装置と輪転機が配置されている。
【０００４】
新聞印刷においては、通常、Ｃ（シアン）、Ｍ（マゼンダ）、Ｙ（イエロー）及びＫ（スミ）の色毎に印刷処理が行われるが、印刷用紙の含有水分や表面性の不均一により、印刷用紙のサイズが伸縮するファンアウト現象が生じるため、印刷処理の都度、印刷用紙の伸縮が生じ、各色の画像が整合しなくなるという問題がある。
【０００５】
そこで、例えば、特許文献１には、ＲＩＰ処理された印刷用の画像データを用いて、印刷用紙にテスト印刷するとともに、その際の印刷用紙のサイズの伸びを測定し、その伸び情報に基づいて画像データのサイズを変更し、サイズ変更された画像データを用いて刷版を作成することにより、各色の画像を整合させる印刷システムが提案されている。
【０００６】
また、特許文献２には、画像データに基づいて生版にレーザ光線を照射し、生版の版面に画像を描画する露光装置と、該露光装置を、生版がセットされる回転ドラムの軸方向に沿って移動させるトラバース駆動装置と、印刷条件に応じて露光装置の移動速度を制御することにより、生版に描画される画像のサイズを制御する制御装置とを備える印刷システムが提案されている。
【０００７】
【特許文献１】特開２００４−３１８１３２号公報
【特許文献２】特許第３５９５５１０号
【発明の開示】
【発明が解決しようとする課題】
【０００８】
しかしながら、特許文献１の印刷システムでは、印刷作業の都度、テスト印刷及び印刷用紙の伸び量の測定を行う必要があるため、印刷処理の高速化が妨げられる虞があり、また、印刷用紙にテスト印刷を行って印刷用紙の伸びを測定するための構成を、各ＣＴＰ装置に設ける必要があるため、印刷コストが増大する虞もある。一方、特許文献２の印刷システムでも、印刷条件に基づいて露光装置の移動速度を特定するための構成と、特定した移動量に基づいて露光装置の移動速度を制御するための構成とを、各ＣＴＰ装置に設ける必要がある。
【０００９】
また、近年、新聞紙のカラー印刷における印刷品質に対する要求が厳しくなり、解像度や鮮明度の高い高品質のカラー印刷が強く望まれつつある。そのため、従来から使用されている低粘度のカラーインクを用いたオフセット印刷だけでなく、高粘度のカラーインクを用いた印刷法によるカラー印刷の要望も高まっている。高粘度のカラーインクを用いた印刷法においては、１色分の印刷処理が完了する都度、乾燥機等を用いた乾燥作業が必要となるため、新聞紙が伸縮を頻繁に繰り返してサイズが激しく変化し、各色の画像を正確に合わせることが益々困難となる。
【００１０】
そこで、本発明は、上記問題点に鑑みてなされたものであって、印刷処理の高速化を妨げることなく、印刷用紙の伸縮を考慮した色合わせを精密に行うことができるとともに、印刷コストの削減を図ることができる印刷システム等を提供することを目的とする。
【課題を解決するための手段】
【００１１】
上記目的を達成するため、本発明は、印刷計画情報に基づいて印刷処理を複数の印刷工場に手配し、各印刷工場で印刷用紙に画像を印刷する印刷システムであって、前記印刷計画情報及び前記印刷用紙の伸縮率が登録された伸縮情報を記録するデータベースと、前記印刷計画情報及び伸縮情報に基づいて前記印刷用紙の印刷時の伸縮率を算出するとともに、前記伸縮率を示す伸縮率データ及び前記伸縮率に応じた画像サイズを示すサイズデータの少なくとも１つを、印刷用画像データとともに送信するサーバと、前記伸縮率データ及び前記サイズデータの少なくとも１つに基づいて前記印刷用画像データのサイズを変更し、サイズ変更された印刷用画像データを描画して刷版を作成する複数のＣＴＰ装置と、前記刷版を用いて前記印刷用紙に画像を印刷する複数の輪転機とを備えることを特徴とする。
【００１２】
そして、本発明によれば、印刷計画情報及び伸縮情報に基づき、印刷時の印刷用紙の伸縮率を算出し、算出した伸縮率に基づいて描画データのサイズを変更するため、刷版には、印刷時の伸縮率に応じたサイズの描画データが描画される。従って、印刷時に印刷用紙のサイズが激しく変化したとしても、その変化と同調して画像の印刷サイズも変化するため、各色の画像を精密に整合させることが可能となる。
【００１３】
加えて、サーバ側において、各印刷工場での印刷条件に合わせて、伸縮率を示すデータ等を一括的に作成し、そのデータを各ＣＴＰ装置に送信することによって、描画データのサイズ変更の指示を行うため、印刷条件に対応した伸縮率データを生成するための構成は、サーバ側にのみ設けられ、各ＣＴＰ装置では、その伸縮率データに基づいて描画データのサイズを変更するだけで足りる。従って、印刷用紙にテスト印刷を行って印刷用紙の伸びを測定するための構成や、印刷条件に基づいて露光装置の移動速度を特定し、露光装置の移動速度を制御するための構成等を各ＣＴＰ装置に設ける必要がなく、印刷コストの削減を図ることが可能となる。
【００１４】
さらに、データベースに記録された印刷計画情報及び伸縮情報に基づいて伸縮率データを生成するため、印刷処理の都度、テスト印刷及び印刷用紙の伸び量の測定を行う必要がなく、印刷処理の高速化が妨げられるのを防止することもできる。
【００１５】
前記印刷システムを新聞の印刷に適用することができ、前記データベース及び前記サーバを編集センターに備え、前記ＣＴＰ装置及び前記輪転機を新聞印刷工場に備えるようにすることができる。これによって、新聞印刷において、印刷処理の高速化を妨げることなく、印刷用紙の伸縮を考慮した色合わせを精密に行うことが可能になるとともに、印刷コストの削減を図ることが可能となる。
【００１６】
また、本発明は、印刷計画情報に基づいて印刷処理を複数の印刷工場に手配し、各印刷工場で印刷用紙に画像を印刷する印刷システムであって、前記印刷計画情報を記録する第１データベースと、前記印刷計画情報を印刷用画像データとともに送信するサーバと、前記印刷用紙の伸縮率が登録された伸縮情報を記録する第２データベースと、前記印刷計画情報及び前記印刷用画像データを受信し、前記印刷計画情報及び前記伸縮情報に基づいて前記印刷用紙の印刷時の伸縮率を算出するとともに、前記伸縮率を示す伸縮率データ及び前記伸縮率に応じた画像サイズを示すサイズデータの少なくとも１つを出力するＣＴＰサーバと、前記伸縮率データ及び前記サイズデータの少なくとも１つに基づいて前記印刷用画像データのサイズを変更し、サイズ変更された印刷用画像データを描画して刷版を作成する複数のＣＴＰ装置と、前記刷版を用いて前記印刷用紙に画像を印刷する複数の輪転機とを備えることを特徴とする。本発明によれば、前記発明と同様に、印刷処理の高速化を妨げることなく、印刷用紙の伸縮を考慮した色合わせを精密に行うことが可能になるとともに、印刷コストの削減を図ることが可能となる。
【００１７】
前記印刷システムを新聞の印刷に適用することができ、前記第１データベース及び前記サーバを編集センターに備え、前記第２データベース、前記ＣＴＰサーバ、前記ＣＴＰ装置及び前記輪転機を新聞印刷工場に備えるようにすることができる。これによって、新聞印刷において、印刷処理の高速化を妨げることなく、印刷用紙の伸縮を考慮した色合わせを精密に行うことが可能になるとともに、印刷コストの削減を図ることが可能となる。
【００１８】
前記印刷システムにおいて、前記サーバ又は前記ＣＴＰサーバが、前記印刷時の伸縮率を印刷色毎に算出し、前記複数のＣＴＰ装置の各々が、前記印刷用画像データのサイズを印刷色毎に変更するように構成することもできる。上記構成によれば、色合わせを確実に行うことが可能となる。
【００１９】
さらに、本発明は、画像を編集して印刷用画像データを生成し、該印刷用画像データを複数の印刷工場に送信する編集センターであって、印刷計画情報及び印刷用紙の伸縮率が登録された伸縮情報を記録するデータベースと、前記印刷計画情報及び伸縮情報に基づいて前記印刷用紙の印刷時の伸縮率を算出するとともに、前記伸縮率を示すデータ及び前記伸縮率に応じた画像サイズを示すデータの少なくとも１つを、前記印刷用画像データとともに刷版データとして前記複数の印刷工場に送信するサーバとを備えることを特徴とする。本発明によれば、前記発明と同様に、印刷処理の高速化を妨げることなく、印刷用紙の伸縮を考慮した色合わせを精密に行うことが可能になるとともに、印刷コストの削減を図ることが可能となる。
【００２０】
また、本発明は、画像を編集して生成された印刷用画像データを受信して刷版を作成するＣＴＰ装置であって、指定されたサイズ変更情報に基づいて前記印刷用画像データのサイズを印刷色毎に変更する画像サイズ処理部と、サイズ変更された印刷用画像データを描画して刷版を作成する描画部とを備えることを特徴とする。本発明によれば、容易に色合わせを行うことが可能となる。
【００２１】
さらに、本発明は、画像を編集して生成された印刷用画像データを受信して刷版を作成するＣＴＰシステムであって、印刷用紙の伸縮率が登録された伸縮情報を記録したデータベースと、前記印刷用画像データ及び印刷計画情報を受信し、前記印刷計画情報及び前記伸縮情報に基づいて前記印刷用紙の印刷時の伸縮率を算出するとともに、前記伸縮率を示す伸縮率データ及び前記伸縮率に応じた画像サイズを示すサイズデータの少なくとも１つを出力するＣＴＰサーバと、前記伸縮率データ及び前記サイズデータの少なくとも１つに基づいて前記印刷用画像データのサイズを変更し、サイズ変更された印刷用画像データを描画して刷版を作成する複数のＣＴＰ装置とを備えることを特徴とする。本発明によれば、前記発明と同様に、印刷処理の高速化を妨げることなく、印刷用紙の伸縮を考慮した色合わせを精密に行うことが可能になるとともに、印刷コストの削減を図ることが可能となる。
【発明の効果】
【００２２】
以上のように、本発明によれば、印刷処理の高速化を妨げることなく、印刷用紙の伸縮を考慮した色合わせを行うことができるとともに、印刷品質の均一化を図ることができる印刷システム等を提供することが可能となる。
【発明を実施するための最良の形態】
【００２３】
図１は、本発明にかかる印刷システムの一実施の形態を示し、この印刷システム１は、全国紙を発行する新聞社において、本社（編集センター）１１で印刷用紙の編集を一括して行い、各地の印刷工場２１Ａ〜２１Ｃで新聞を印刷するために用いられる。尚、図示を省略するが、印刷工場２１Ｂ、２１Ｃも印刷工場２１Ａと同様の設備を備えるものとする。
【００２４】
本社１１には、データベース１２と、ＲＩＰ処理装置１３と、サーバ１４とが設けられる。データベース１２には、印刷計画情報及び伸縮情報が記録される。印刷計画情報には、表１に示すように、印刷対象の画像ファイルＡ1〜Ａnと対応付けて、印刷処理を実行する印刷工場名Ｂ1〜Ｂn、使用する輪転機ユニットＣ1〜Ｃn、使用する版胴名Ｄ1〜Ｄn及び使用する紙、インクＥ1〜Ｅn等の情報が登録される。
【００２５】
【表１】
2008119996.tif 000003
【００２６】
一方、伸縮情報には、表２に示すように、印刷工場の湿度及び温度Ｆ1〜Ｆn、輪転機ユニットのローラ圧力Ｈ1〜Ｈn、紙の種類Ｋ1〜Ｋn、インクの種類Ｍ1〜Ｍn及び乾燥機の種類Ｐ1〜Ｐn等の各々と対応付けて、それらを使用したときの新聞紙の伸縮率データが登録される。この伸縮率データは、予め、印刷工場の湿温度や輪転機ユニットの種類を変更しながら、新聞紙の伸縮率を複数回にわたってサンプリングすることにより、取得される。
【００２７】
【表２】
2008119996.tif 000004
【００２８】
ＲＩＰ処理装置１３は、新聞の編集作業によって作成された画像情報としての多値画像データを、ＲＩＰ処理によって２値画像データに変換する。例えば、Ｃ、Ｍ、Ｙ及びＫの４色印刷を用いてカラー印刷する場合には、２値画像データは、Ｃ、Ｍ、Ｙ及びＫの各色毎に作成される。
【００２９】
サーバ１４は、データベース１２に記録される印刷計画情報と伸縮情報を照らし合わせ、画像ファイルＡ1〜Ａnの各々について、印刷時の新聞紙の伸縮率を算出する。この伸縮率は、２値画像データと同様に、４色印刷を用いたカラー印刷の場合には、印刷色毎に算出される。また、サーバ１４は、印刷計画情報及び算出した伸縮率データを、ＲＩＰ処理装置１３によって生成された２値画像データとともに出力し、刷版データとして各印刷工場２１Ａ〜２１Ｃに送信する。
【００３０】
各印刷工場（例えば２１Ａ）には、ＣＴＰサーバ２２Ａと、複数のＣＴＰ装置２３Ａａ〜２３Ａｃと、複数の輪転機２７Ａａ〜２７Ａｃとが設けられる。ＣＴＰサーバ２２Ａは、本社１１のサーバ１４から送信される刷版データを受信し、印刷計画情報に基づいて複数のＣＴＰ装置２３Ａａ〜２３Ａｃに製版の指示等を行う。
【００３１】
複数のＣＴＰ装置２３Ａａ〜２３Ａｃは、２値画像データに対して画像処理を行って各色の描画データを作成する画像処理部２４Ａと、伸縮率データに基づいて各描画データのサイズを変更する画像サイズ処理部２５Ａと、サイズ変更された描画データを用いて刷版を作成する描画部２６Ａとを備える。尚、図示を省略するが、ＣＴＰ装置２３Ａｂ、２３ＡｃもＣＴＰ装置２３Ａａと同様の設備を備えるものとする。
【００３２】
複数の輪転機２７Ａａ〜２７Ａｃは、複数のＣＴＰ装置２３Ａａ〜２３Ａｃに対応して設けられ、各輪転機２７Ａａ〜２７Ａｃには、図示を省略するが、１色分の印刷処理が完了する都度、新聞紙を乾燥させる乾燥機が設けられる。
【００３３】
次に、印刷システム１の動作について説明する。
【００３４】
本社１１側で、印刷計画情報が作成されると、データベース１２に記録されるとともに、サーバ１４によって、印刷対象の画像ファイルＡ1〜Ａnの各々につき、印刷処理を実行する工場名、使用する輪転機、版胴名、紙及びインク等の種類が特定される。次いで、特定したデータに基づき、データベース１２に記録される伸縮情報の中から、印刷工場の湿温度、ローラ圧力、紙、インク及び乾燥機毎に、新聞紙の伸縮率データＧx、Ｊx、Ｌx、Ｎx、Ｑxが取り出される。次いで、取り出した伸縮率データを用いて、各画像ファイルＡ1〜Ａnを印刷するときの新聞紙の伸縮率データＸが算出される。
【数１】
2008119996.tif 000005
【００３５】
伸縮率データＸの算出に際しては、印刷工場の湿温度、使用する輪転機等の各々による新聞紙の伸縮が、印刷時の新聞紙の伸縮全体に、どの程度、影響するかなどが考慮され、伸縮率データＧx、Ｊx、Ｌx、Ｎx、Ｑxの各々に、影響度に応じた重み付けなどがなされて算出処理が実行される。この伸縮率データＸは、Ｃ、Ｍ、Ｙ及びＫの各色について算出される。
【００３６】
これと並行して、ＲＩＰ処理装置１３から各画像ファイルＡ1〜Ａnの２値画像データが出力される。その後、サーバ１４によって、２値画像データ、印刷計画情報及び算出した伸縮率データが、刷版データとして各印刷工場２１Ａ〜２１Ｃに送信される。
【００３７】
例えば、本社１１から印刷工場２１Ａに対して刷版データが送信された場合には、印刷工場２１Ａにおいて、まず、ＣＴＰサーバ２２Ａにより、刷版データのうちから２値画像データが取り出され、印刷計画情報に従って複数のＣＴＰ装置２３Ａａ〜２３Ａｃに出力される。２値画像データが出力されると、画像処理部２４Ａによって、色補正や階調補正等の画像処理が施されるなどして、Ｃ、Ｍ、Ｙ及びＫの各色についての描画データが作成される。
【００３８】
次いで、画像サイズ処理部２５Ａによって、刷版データに含まれる伸縮率データに基づき、各色描画データのサイズが拡大又は縮小され、伸縮率に応じたサイズに変更される。尚、画像サイズ処理部２５Ａによるサイズ変更処理は、伸縮率データに基づいて行う他、作業員がＣＴＰサーバ２２Ａに入力する数値指定に基づいて行うことも可能である。また、そのときのサイズ変更値は、本社１１から送信される伸縮率データを作業員が編集するものであってもよいし、本社１１から送信される伸縮率データとは別個に、作業員自身が作成するものであってもよい。
【００３９】
次いで、描画部２６Ａによって、サイズ変更された描画データが生版に描画され、各色の刷版が作成される。作成された刷版は、作業員によって対応する輪転機２７Ａａの版胴に手作業で装着された後、輪転機２７Ａａにおいて新聞が印刷される。
【００４０】
以上説明したように、本実施の形態によれば、印刷計画情報及び伸縮情報に基づき、印刷時の新聞紙の伸縮率を印刷色毎に算出し、算出した伸縮率に基づいて描画データのサイズを変更するため、刷版には、印刷時の伸縮率に応じたサイズの描画データが描画される。従って、印刷時に新聞紙のサイズが激しく変化したとしても、その変化と同調して画像の印刷サイズも変化するため、各色の画像を精密に整合させることが可能となる。
【００４１】
加えて、本社１１において、各印刷工場２１Ａ〜２１Ｃで使用する輪転機等の種類に合わせて、伸縮率データを一括的に作成し、その伸縮率データを各印刷工場２１Ａ〜２１Ｃに送信することによって、描画データのサイズ変更の指示を行うため、使用する輪転機等の種類に対応した伸縮率データを生成するための構成は、本社１１側にのみ設けられ、各印刷工場では、その伸縮率データに基づいて描画データのサイズを変更するだけで足りる。従って、従来の印刷システムのように、印刷用紙にテスト印刷を行って印刷用紙の伸びを測定するための構成や、印刷条件に基づいて露光装置の移動速度を特定し、露光装置の移動速度を制御するための構成等を各ＣＴＰ装置２３Ａａ〜２３Ａｃに設ける必要がなく、印刷コストの削減を図ることが可能となる。
【００４２】
さらに、データベース１２に記録された印刷計画情報及び伸縮情報に基づいて伸縮率データを生成するため、印刷処理の都度、テスト印刷及び印刷用紙の伸び量の測定を行う必要がなく、印刷処理の高速化が妨げられるのを防止することもできる。
【００４３】
図２は、本発明にかかる印刷システムの第２の実施形態を示し、図２において、図１の印刷システム１と同一の構成要素については、同一符号を付す。
【００４４】
図２に示すように、印刷システム３０は、本社３１に設けられるデータベース３２、ＲＩＰ処理装置１３及びサーバ３３と、印刷工場４１Ａに設けられるＣＴＰサーバ２２Ａ、複数のＣＴＰ装置４３Ａａ〜４３Ａｃ及び複数の輪転機２７Ａａ〜２７Ａｃとを備え、複数のＣＴＰ装置４３Ａａ〜４３Ａｃの各々には、画像処理部２４Ａ、画像サイズ処理部４５Ａ、サイズテーブル４８Ａ及び描画部２６Ａが設けられる。尚、図１と同様に、図示を省略しているが、印刷工場４１Ｂ、４１Ｃも印刷工場４１Ａと同様の設備を備えるものとする。
【００４５】
データベース３２には、表１及び表２に示す印刷計画情報及び伸縮情報の他、サイズテーブルが記録される。このサイズテーブルには、表３に示すように、Ｃ、Ｍ、Ｙ及びＫの各色の伸縮率と、それらと対応付けられた指定ナンバーが登録される。
【００４６】
【表３】
2008119996.tif 000006
【００４７】
サーバ３３は、印刷計画情報及び伸縮情報に基づいて、印刷時の新聞紙の伸縮率を算出した後、データベース３２に記録されるサイズテーブルを参照し、算出した伸縮率に対応する指定ナンバーを取り出して、２値画像データ及び印刷計画とともに、刷版データとして各印刷工場４１Ａ〜４１Ｃに送信する。
【００４８】
各印刷工場（例えば４１Ａ）のサイズテーブル４８Ａは、表３に示すサイズテーブルと同一のものであり、画像サイズ処理部４５Ａは、本社３１のサーバ３３から送信された指定ナンバーに対応する伸縮率をサイズテーブル４８Ａから取り出し、画像処理部２４Ａから出力される描画データのサイズを変更する。尚、作業員が行うサイズ変更指示は、本社３１から送信される指定ナンバーを変更するものであってもよいし、本社３１から送信される指定ナンバーとは別に、改めて指定ナンバーを入力するものであってもよい。
【００４９】
本実施の形態によれば、伸縮率データとして指定ナンバーが送信され、印刷工場４１Ａ〜４１Ｃ側で、指定ナンバーに対応する伸縮率がサイズテーブル４８Ａから取り出されて、描画データのサイズが変更されるため、図１の実施形態と同様の作用効果を得ることが可能となる。
【００５０】
図３は、本発明にかかる印刷システムの第３の実施形態を示し、図３において、図１の印刷システム１と同一の構成要素については、同一符号を付す。
【００５１】
図３に示すように、印刷システム５０は、本社５１に設けられるデータベース５２、ＲＩＰ処理装置１３及びサーバ５３と、印刷工場６１Ａに設けられるＣＴＰサーバ６２Ａ、複数のＣＴＰ装置２３Ａａ〜２３Ａｃ及び複数の輪転機２７Ａａ〜２７Ａｃとを備え、ＣＴＰサーバ６２Ａには、データベース６３Ａが設けられる。尚、図１と同様に、図示を省略しているが、印刷工場６１Ｂ、６１Ｃも印刷工場６１Ａと同様の設備を備えるものとする。
【００５２】
本社５１のデータベース５２には、図１のデータベース１２と異なり、表１に示す印刷計画情報のみが記録され、表２に示す伸縮情報は、ＣＴＰサーバ６２Ａのデータベース６３Ａに記録される。
【００５３】
印刷システム５０においては、本社５１から印刷計画情報及び２値画像データが刷版データとして送信され、各印刷工場６１Ａ〜６１Ｃには、印刷計画情報及び２値画像データのみが送信される。そして、各印刷工場６１Ａ〜６１ＣのＣＴＰサーバ６２Ａにおいて、本社５１側から送信された印刷計画情報と、データベース６３Ａに記録された伸縮情報とが照らし合わされ、各画像ファイルＡ1〜Ａnを印刷するときの新聞紙の伸縮率データＸが算出される。その後は、図１の印刷システム１と同様に、伸縮率データＸに基づいて描画データのサイズが変更され、サイズ変更された描画データが描画される。
【００５４】
本実施の形態によれば、ＣＴＰサーバ６２Ａで新聞紙の印刷時の伸縮率が算出され、それに基づいて描画データのサイズが変更されるため、図１の実施形態と同様の作用効果を得ることが可能となる。
【００５５】
以上、本発明の実施の形態を説明したが、本発明は、上記構成に限定されるものではなく、特許請求の範囲に記載された発明の範囲内で種々の変更が可能であり、それらも本発明の範囲内に包含される。
【００５６】
例えば、図１及び図２に示す実施形態においては、サーバは、新聞紙の印刷時の伸縮率を算出し、その伸縮率を示す伸縮率データ又は指定ナンバーを印刷工場に送信するが、新聞紙の印刷時の伸縮率のみならず、サイズ変更後の画像サイズ値、又はサイズ変更量を示す画像サイズ変更値を算出し、伸縮率データ又は指定ナンバーに代えて、又は、それらに加えて、印刷工場に送信するようにしてもよい。また、図３に示す実施形態においても、上記と同様に、ＣＴＰサーバが、サイズ変更後の画像サイズ値、又はサイズ変更量を示す画像サイズ変更値を算出し、出力するようにしてもよい。
【００５７】
また、上記実施の形態においては、画像処理部で色補正や階調補正等の画像処理を施して描画データを生成した後に、その描画データのサイズを変更するが、２値画像データの画像サイズを変更した後に、サイズ変更した２値画像データに色補正や階調補正等の画像処理を施して描画データを生成するようにしてもよい。
【００５８】
さらに、上記実施の形態においては、本社から２値画像データを送信するが、各印刷工場に、ＲＩＰ処理装置を配置した上で、本社から多値画像データを送信し、各印刷工場において、多値画像データに対し、ＲＩＰ処理、画像処理及びサイズ変更処理を行ってもよい。
【図面の簡単な説明】
【００５９】
【図１】本発明にかかる印刷システムの第１の実施形態を示す全体構成図である。
【図２】本発明にかかる印刷システムの第２の実施形態を示す全体構成図である。
【図３】本発明にかかる印刷システムの第３の実施形態を示す全体構成図である。
【図４】従来の印刷システムの一例を示す全体構成図である。
【符号の説明】
【００６０】
１      印刷システム
１１    本社
１２    データベース
１３    ＲＩＰ処理装置
１４    サーバ
２１    印刷工場
２２    ＣＴＰサーバ
２３    ＣＴＰ装置
２４    画像処理部
２５    画像サイズ処理部
２６    描画部
２７    輪転機
３０    印刷システム
３１    本社
３２    データベース
３３    サーバ
４１    印刷工場
４３    ＣＴＰ装置
４５    画像サイズ処理部
４８    サイズテーブル
５０    印刷システム
５１    本社
５２    データベース
５３    サーバ
６１    印刷工場
６２    ＣＴＰサーバ
６３    データベース
【図１】
2008119996.tif 000007
【図２】
2008119996.tif 000008
【図３】
2008119996.tif 000009
【図４】
2008119996.tif 000010